(57)【要約】【課題】ＬＥＤの輝度を正確に制御するＬＥＤ点灯回路及びＬＥＤ点灯システムを提供することを目的とする。【解決手段】ＬＥＤ点灯回路（１）は、交流電源を整流する整流回路（ＲＢ）と、直列ＬＥＤ群（Ｌ１）と、通電開始可能電圧検知回路（ＤＴ）と、直列ＬＥＤ群（Ｌ１）を定電流で駆動する定電流回路（ＣＡ）と、定電流回路（ＣＡ）及び通電開始可能電圧検知回路（ＤＴ）に接続したマイコン（ＭＰ１）とからなり、前記マイコン（ＭＰ１）は、半サイクル波の立上がり時に通電開始可能電圧検知時点から遅延時間（ｔｄ）だけ遅延させて調光データに基づいたパルス幅の点灯パルスをオンし、定電流回路（ＣＡ）を駆動させて直列ＬＥＤ群（Ｌ１）を点灯するとともに、前記半サイクル波の立下り時に、半サイクル波の頂点を挟んで、立上がり時の点灯パルスと対称位置に立上がり時と同じパルス幅で点灯パルスを発生させるよう制御する。【選択図】図１
2008226532.tif 000002
【特許請求の範囲】
【請求項１】
交流電源を整流する整流回路と、ＬＥＤと、このＬＥＤへの通電開始可能電圧を検知する通電開始可能電圧検知回路と、ＬＥＤを定電流で駆動する定電流回路と、この定電流回路及び前記通電開始可能電圧検知回路に接続した制御装置とからなり、前記制御装置は、半サイクル波のゼロクロス点及びピーク電圧値を取り込む手段を備え、前記半サイクル波の立上がり時において、通電開始可能電圧検知回路による通電開始可能電圧検知後、定電流回路が定常電流を流せる電圧に達する遅延時間を半サイクル波のゼロクロス点から通電開始可能電圧検知点までの計測時間と半サイクル波のピーク電圧から算出し、前記通電開始可能電圧検知回路による通電開始可能電圧検知時点から前記遅延時間分だけ遅延させて、あらかじめ設定された調光データに基づいたパルス幅をもつ点灯パルスをオンし、定電流回路を駆動させてＬＥＤを駆動するとともに、半サイクル波の立下り時において、半サイクル波の頂点を挟んで、立上がり時の点灯パルスと対称位置に立上がり時と同じパルス幅で点灯パルスを発生させることを特徴としたＬＥＤ駆動回路。
【請求項２】
請求項１に記載のＬＥＤ駆動回路を搭載した複数の子機と、この各子機に伝送線で接続し、半サイクル波毎に前記各子機のＬＥＤ駆動回路にあらかじめ各別に設定された調光データを転送するデータ転送回路を搭載した親機とからなることを特徴とするＬＥＤ点灯装置。
【発明の詳細な説明】
【技術分野】
【０００１】
本発明は、ＬＥＤサイン表示に適用すると好適で調光可能な交流点灯方式のＬＥＤ駆動回路及びこのＬＥＤ駆動回路を用いたＬＥＤ点灯装置に関するものである。
【背景技術】
【０００２】
従来の交流点灯方式のＬＥＤ駆動回路には、図８に示すように、ブリッジ整流回路（ＲＢ）、ＬＥＤ、電流増幅回路（ＤＴ）からなり、ＬＥＤに流れる電流をモニタし、任意の電流以下の間だけＬＥＤを点灯するというものがある（特許文献１参照）。前記ＬＥＤ駆動回路の動作は、電源電圧の半サイクル波における、ＬＥＤを点灯させるための電流増幅回路（ＤＴ）の駆動動作に必要な電圧を越え、なお且つ電源電圧が低い時点では、電流増幅回路（ＤＴ）において抵抗（Ｒ３）に流れる電流も少なく、トランジスタ（ＴＲ３）はオフしており、このトランジスタ（ＴＲ３）がオフしていればトランジスタ（ＴＲ２）もオフしていてトランジスタ（ＴＲ１）にベース電流が流れ、トランジスタ（ＴＲ１）をオンし、ＬＥＤ電流が流れＬＥＤが点灯する。続いて前記電源電圧が上昇し、抵抗（Ｒ３）の電流が一定値以上になると、トランジスタ（ＴＲ３）がオンし、トランジスタ（ＴＲ２）もオンし、トランジスタ（ＴＲ１）のベース電流がトランジスタ（ＴＲ２）に吸収され、トランジスタ（ＴＲ１）がオフしてＬＥＤが消灯するというものである。この消灯状態は電源電圧が低下し、抵抗（Ｒ３）に流れる電流が減少し、トランジスタ（ＴＲ３）がオフするまで保持される。
【０００３】
また別の例として、そのＬＥＤ駆動回路が、図９に示すように、ブリッジ整流回路（ＲＢ）、ＬＥＤ、電流増幅回路（ＤＴ）からなり、ＬＥＤに印加される電源電圧をモニタし、一定の電圧以下の間だけ電流を流すという方式がある（特許文献２参照）。このＬＥＤ駆動回路は、電流増幅回路（ＤＴ）において、電源電圧を抵抗（Ｒ３）と抵抗（Ｒ４）に分圧することによって電圧をモニタし、トランジスタ（ＴＲ２）がオフしている間だけトランジスタ（ＴＲ１）がオンして、ＬＥＤに電流が流れるというものである。
【特許文献１】特開平０８−１４８７２１号公報
【特許文献２】特開平０８−０２２５７９号公報
【発明の開示】
【発明が解決しようとする課題】
【０００４】
これら従来技術の点灯回路に共通して見られるのは消費電力を低減することと、回路構成を簡素化することに主眼が置かれ、正確にＬＥＤの輝度を制御する方策が取られてはいない。即ち、特許文献１，２の各電流増幅回路（ＤＴ）において、電流または電圧のモニタ回路とＬＥＤ点灯回路の間に遅延関係がなく、モニタ回路の変化が直ちにＬＥＤ点灯回路に伝わるため、点灯直後のＬＥＤ電流と点灯後半の電流値が異なり、ＬＥＤ点灯パルス幅が正確にＬＥＤの輝度に反映されない。例えば一般的な青色ダイオードを例に取ってみると、１ｍＡ時の順電圧Ｖｆは約２．７Ｖ、６０ｍＡ時の順電圧Ｖｆは約３．７Ｖとなっていた場合、その差は１Ｖあり２５個直列にした場合は実に２５Ｖに達する。いま、仮に電流増幅回路（ＤＴ）が定電流回路であったとしても、通電開始時点で直ちにオンした場合は電源電圧が通電開始検知後２５Ｖ上昇するまで定電流動作は行われず、この間のＬＥＤの輝度は点灯パルス幅にリニアに比例せず、調光データを忠実に再現しないという問題がある。
【０００５】
本発明は、ＬＥＤの点灯パルス幅が常にＬＥＤの輝度に比例するＬＥＤ駆動回路及びこのＬＥＤ駆動回路を用いたＬＥＤ点灯装置を提供することを目的としている。
【課題を解決するための手段】
【０００６】
上記目的を達成するために、請求項１に記載の本発明に係るＬＥＤ駆動回路は、交流電源を整流する整流回路と、ＬＥＤと、このＬＥＤへの通電開始可能電圧を検知する通電開始可能電圧検知回路と、ＬＥＤを定電流で駆動する定電流回路と、この定電流回路及び前記通電開始可能電圧検知回路に接続した制御装置とからなり、前記制御装置は、半サイクル波のゼロクロス点及びピーク電圧値を取り込む手段を備え、前記半サイクル波の立上がり時において、通電開始可能電圧検知回路による通電開始可能電圧検知後、定電流回路が定常電流を流せる電圧に達する遅延時間を半サイクル波のゼロクロス点から通電開始可能電圧検知点までの計測時間と半サイクル波のピーク電圧から算出し、前記通電開始可能電圧検知回路による通電開始可能電圧検知時点から所定時間だけ遅延させて、あらかじめ設定された調光データに基づいたパルス幅をもつ点灯パルスをオンし、定電流回路を駆動させてＬＥＤを駆動するとともに、半サイクル波の立下り時において、半サイクル波の頂点を挟んで、立上がり時の点灯パルスと対称位置に立上がり時と同じパルス幅で点灯パルスを発生させるものである。
【０００７】
また、請求項２に記載の本発明に係るＬＥＤ点灯装置は、請求項１に記載のＬＥＤ駆動回路を搭載した複数の子機と、この各子機に伝送線で接続し、半サイクル波毎に前記各子機のＬＥＤ駆動回路にあらかじめ各別に設定された調光データを転送するデータ転送回路を搭載した親機とからなるものである。
【発明の効果】
【０００８】
以上のように、請求項１に記載のＬＥＤ駆動回路によれば、直列に配したＬＥＤの数やその種類に関わらず、常にＬＥＤ全体の順電圧の直近の電圧で駆動できる理想的な電圧領域で点灯パルスをオンするため、より少ない消費電力で、しかも正確に調光することができるという効果を奏する。
【０００９】
また、請求項２に記載のＬＥＤ点灯装置は、前記請求項１に係る発明の効果に加えて、複数のチャンネルのＬＥＤを半サイクル毎に、調光するため、例えばサイン表示装置に適用すれば、よりスピード感のあるサイン表示が可能となるという効果を奏する。
【発明を実施するための最良の形態】
【００１０】
以下に、本発明の好適な実施形態を添付図面の図１〜図７に基づいて詳細に説明する。ここにおいて、図１はＬＥＤ駆動回路の回路図、図２は電源電圧とＬＥＤ駆動タイミングとの関係を示す説明図、図３はＬＥＤ駆動回路を制御する制御装置であるマイコンのブロック図、図４はＬＥＤ駆動回路に調光データを供給する親機のブロック図、図５〜図７はＬＥＤ駆動回路を制御するマイコンのフローチャートである。
【００１１】
ＬＥＤ点灯装置は、それぞれＬＥＤ駆動回路（１）を搭載してなる例えば１００台の子機を伝送線によって、データ転送回路（２）を搭載した１台の親機に接続して構成する。以下に、前記子機と前記親機を順次説明する。
【００１２】
図１〜図３に示すように、子機のＬＥＤ駆動回路（１）は、商用交流電源に接続され、交流を整流する整流回路（ＲＢ）と、この整流回路（ＲＢ）に接続されたＬＥＤを直列接続してなる直列ＬＥＤ群（Ｌ１）と、この直列ＬＥＤ群（Ｌ１）に接続され、直列ＬＥＤ群（Ｌ１）への通電開始可能電圧に達した旨の信号を出力する通電開始可能電圧検知回路（ＤＴ）と、前記直列ＬＥＤ群（Ｌ１）に接続し、直列ＬＥＤ群（Ｌ１）を定電流で駆動する定電流回路（ＣＡ）と、この定電流回路（ＣＡ）及び前記通電開始可能電圧検知回路（ＤＴ）に接続した制御装置たるマイコン（ＭＰ１）と、このマイコン（ＭＰ１）に接続し、後述する親機のデータ転送回路（２）からの半サイクル波のゼロクロス点に同期して送信される調光データ及び半サイクル波のピーク電圧（Ｖｐ）値を受信するためのデータ受信回路（ＲＸ）とからなる。
【００１３】
図１に示すように、前記ＬＥＤ駆動回路（１）の通電開始可能電圧検知回路（ＤＴ）は、直列ＬＥＤ群（Ｌ１）のカソードから抵抗（Ｒ１）とコンデンサ（Ｃ１）を介してフォトカプラ（ＰＨ１）の発光側（ＬＥＤ側）に接続されている。そして、整流された半サイクル波の電源電圧が上昇し、直列ＬＥＤ群（Ｌ１）の通電開始可能電圧Ｖｓを越える電圧が印加されると、抵抗（Ｒ１）とコンデンサ（Ｃ１）を介してフォトカプラ（ＰＨ１）の発光側（ＬＥＤ側）にコンデンサ（Ｃ１）の充電電流が流れ、受光側トランジスタをオンさせ、マイコン（ＭＰ１）に対し、アクティブローの割り込みパルスを発生させる（図３参照）。この抵抗（Ｒ１）とコンデンサ（Ｃ１）の時定数は微小なものであり、直列ＬＥＤ群（Ｌ１）を点灯させるだけのエネルギーはなく、またコンデンサ（Ｃ１）により直流分はカットされるため、この後、この回路を通じて継続的にＬＥＤ点灯電流が流れることはない。また、ダイオード（Ｄ１）は直列ＬＥＤ群（Ｌ１）の供給電圧が十分に低い時点で、次の定電流回路（ＣＡ）をオンさせてコンデンサ（Ｃ１）の電荷を放電するためのものである。
【００１４】
図１及び図２に示すように、直列ＬＥＤ群（Ｌ１）の供給電圧が定電流回路駆動電圧（Ｖｓ＋Ｖｔ）を越えている状態で、マイコン（ＭＰ１）が出力ポートをオンし、フォトカプラ（ＰＨ２）の発光側（ＬＥＤ側）に電流が流れると受光側（トランジスタ側）がオンしトランジスタ（ＴＲ１）にベース電流が流れ、トランジスタ（ＴＲ１）がオンし、直列ＬＥＤ群（Ｌ１）が点灯を始める。ＬＥＤ電流は抵抗（Ｒ２）を流れ、抵抗（Ｒ２）の電位が上昇するとトランジスタ（ＴＲ２）のベース電流が流れトランジスタ（ＴＲ２）をオン状態に遷移させ、トランジスタ（ＴＲ１）のベース電流を吸収し、今度はトランジスタ（ＴＲ１）のコレクタ電流を減少させる。このように、フォトカプラ（ＰＨ２）がオンしている間、抵抗（Ｒ２）の値により設定された定常電流が直列ＬＥＤ群（Ｌ１）を流れる。点灯パルス幅は、調光データを元にした前記フォトカプラ（ＰＨ２）のオンオフによって調節される。図２における（ＴＰ）はフォトカプラ（ＰＨ２）により発生する点灯パルスを示す。
【００１５】
データ受信回路（ＲＸ）は、親機のデータ転送回路（２）から半サイクル波のゼロクロス点に同期して伝送線上から送信される調光データ及び交流のピーク電圧値をマイコン（ＭＰ１）に伝える。
【００１６】
図３に示すように、ＬＥＤ駆動回路（１）の制御装置であるマイコン（ＭＰ１）は、ＣＰＵとＲＯＭとＲＡＭとタイマＡ及びタイマＢとを備える。前記ＣＰＵは、データ受信回路（ＲＸ）からの前記ゼロクロス点及びピーク電圧（Ｖｐ）値及び１００台の子機に対応する調光データのうち自己の調光データを取り込む手段と、取り込んだデータを収納する収納手段を備えている。そして、前記マイコン（ＭＰ１）は、前記ゼロクロス点から通電開始可能電圧（Ｖｓ）に上昇するまでの計測時間たる通電開始可能電圧検知時間（ｔｓ）と、この通電開始可能電圧検知時間（ｔｓ）から定電流回路（ＣＡ）が直列ＬＥＤ群（Ｌ１）に定常電流を流せる定電流回路駆動電圧（Ｖｓ＋Ｖｔ）、すなわち、前記通電開始可能電圧（Ｖｓ）にオフセット（Ｖｔ）を加えた電圧に上昇するまでにかかる点灯パルスオン時間（ｔｄ）とを、前記ゼロクロス点からピーク電圧（Ｖｐ）に上昇するまでにかかる時間から算出し、前記点灯パルスオン時間（ｔｄ）において立上がり、前記収納手段の前記調光データに応じて算出した幅長を有する点灯パルスを発生させる。なお、前記通電開始可能電圧検知時間（ｔｓ）から前記点灯パルスオン時間（ｔｄ）までを以下遅延時間（ｔｄ−ｔｓ）という。また、前記ＣＰＵは、半サイクル波の立下り時において、前記立上がり時の定電流回路駆動電圧（Ｖｓ＋Ｖｔ）と、半サイクル波の頂点を対称とした電圧において、立ち上がり時と同じパルス幅で点灯パルスを発生させるよう制御する。前記定電流回路駆動電圧（Ｖｓ＋Ｖｔ）は直列ＬＥＤ群（Ｌ１）を点灯する際、点灯パルス幅とＬＥＤの輝度とがリニアに比例する理想的な電位である。
【００１７】
半サイクル波はサイン波形であることから、前記通電開始可能電圧（Ｖｓ）からオフセット電圧（Ｖｔ）分上昇するまでの前記遅延時間（ｔｄ−ｔｓ）と、半サイクル波のゼロクロス点付近とピーク付近とで変位時間が異なる。そして、点灯パルスオン時間（ｔｄ）は以下の表１の式（１）、（２）から求める。
【００１８】
【表１】
2008226532.tif 000003
【００１９】
また、点灯パルスを発生させた後、半サイクル波の立下り時には、ピーク位置を対称とした立上がり時と同じ点灯パルスを発生させる。この位置は立上がり時と同様に、定電流駆動における理想的な電位である。半サイクル波の立下り時における点灯タイミング時間（ｔｇ）は以下の表２の式から求める。
【００２０】
【表２】
2008226532.tif 000004
【００２１】
図４に示すように、親機のデータ転送回路（２）は、トランス（ＴＲ）と、半サイクル波のピーク電圧（Ｖｐ）を検出するピーク検出回路（ＲＤ）と、半サイクル波のゼロクロス点を検出するゼロクロス検出回路（ＺＤ）と、マイコン（ＭＰ２）と、子機のＬＥＤ駆動回路（１）にデータ転送するための通信ディバイスであるＲＳ４８５トランシーバ（ＣＤ）と、前記ＬＥＤ駆動回路（１）へ転送する調光データを記憶するフラッシュＲＯＭ（ＦＲ）とからなる。前記ＬＥＤ駆動回路（１）の駆動電源を同一の商用駆動電源に接続された前記トランス（ＴＲ）の２次側は、前記ピーク検出回路（ＲＤ）と前記ゼロクロス検出回路（ＺＤ）とに接続されている。ピーク検出回路（ＲＤ）の出力はマイコン（ＭＰ２）のアナログ／デジタル変換ポート（ＡＮ）に接続され、ゼロクロス検出回路（ＺＤ）はマイコン（ＭＰ２）の割り込み端子（ＩＮＴ）に接続されている。また、フラッシュＲＯＭ（ＦＲ）にはＬＥＤ駆動回路（１）に転送する調光データが記憶されている。
【００２２】
次に、上記ＬＥＤ点灯装置の動作を、図５〜図７に基づき時間経過に沿って説明する。親機のデータ転送回路（２）は、まず、ピーク検出回路（ＲＤ）を通じてピーク電圧（Ｖｐ）のＡＤ値を記憶する。このＡＤ値は、急峻な電圧変動に影響されないよう、過去１６回分の移動平均が施される。データ転送回路（２）は、次に、半サイクル波のゼロクロス点を検出するとマイコン（ＭＰ２）の割り込みが発生し、フラッシュＲＯＭ（ＦＲ）に記憶されている調光データと先ほど取得したピーク電圧（Ｖｐ）値を含む転送データをＲＳ４８５トランシーバ（ＣＤ）から伝送線を介して、それぞれ固有のアドレスを有する子機（１）に前記アドレスに応じた調光データを各別に転送する。この動作を交流のゼロクロス点に同期して毎回繰り返す。前記転送データは、１００台の各子機の各アドレスに対応する１００バイトの調光データとピーク電圧（Ｖｐ）を有する。
【００２３】
一方、前記子機のＬＥＤ駆動回路（１）の動作は、伝送線に接続されたデータ受信回路（ＲＸ）から前記親機のデータ転送回路（２）の転送データをマイコン（ＭＰ１）に入力することから始まる。転送データは、同期符号、調光データ、ピーク電圧（Ｖｐ）値の順に配列されてなり、マイコン（ＭＰ１）は、前記同期符号をゼロクロス点とし、内部タイマＡを作動させ、通電開始検知時間（ｔｓ）を計測する。この時点が図２のＡ点であり、図５のステップ１０１である。また、その後、受信した調光データを元にパルス点灯時間（ｔｗ）を算出し記憶する。
【００２４】
次に、図５に示すように、前記受信データに含まれる調光データのうち自己の調光データを受信し（ステップ１０２）、この調光データを格納し（ステップ１０３）、ピーク電圧（ＶＰ）値を受信し（ステップ１０４）、これを格納する（ステップ１０５）。
【００２５】
続いて、図６に示すように、半サイクル波の電源電圧が上昇し、通電開始可能電圧検知回路（ＤＴ）が働くと、マイコン（ＭＰ１）に対し、割込みパルスを発生させる（図６のＢＢ）。前記通電開始可能電圧検知による割り込み発生時点で、マイコン（ＭＰ１）は先ほどのタイマＡを停止し（ステップ１０６）、整流半サイクル波のゼロクロス点から通電開始可能電圧検知までの通電開始可能電圧検知時間（ｔｓ）を確定し、この時間と先だって受信した半サイクル波のピーク電圧（Ｖｐ）値に対応する時間から前述の表１における計算式（１）、（２）により遅延時間（ｔｄ−ｔｓ）を計算し、この遅延時間（ｔｄ−ｔｓ）経過後の点灯パルスオン時間（ｔｄ）を算出し（ステップ１０７）、このゼロクロス点からの点灯パルスオン時間（ｔｄ）にタイマＢ割り込みを発生させるようセットする（ステップ１０８）。
【００２６】
なお、安価なマイコンでは三角関数等を高速で演算することが難しいため遅延時間（ｔｄ）の計算に関し、予め演算結果に相当する値をテーブルで用意し、このテーブルを参照することによりタイミングを制御するように構成すればよい。
【００２７】
続いて、図７に示すように、前記遅延時間（ｔｄ−ｔｓ）が経過してマイコン（ＭＰ１）のタイマＢの割込みが発生する（ステップ１０９）と、マイコン（ＭＰ１）は定電流回路（ＣＡ）をオンし（ステップ１１０）、先ほど受信した調光データから算出したパルス点灯時間（ｔｗ）を再度、タイマＢにセットする（ステップ１１１）。この時点が図２のＣ点である。
【００２８】
続いて、前記パルス点灯時間（ｔｗ）が経過してタイマＢの割込みが発生する（ステップ１１２）と、定電流回路（ＣＡ）をオフし（ステップ１１３）、立上がり時の点灯パルスのオフから立下り時の点灯パルスのオンまでの点灯タイミング時間（ｔｇ）を表２の計算式（３）に従い算出し、タイマＢにセットする（ステップ１１４）。この時点が図２のＤ点である。
【００２９】
続いて、前記点灯タイミング時間（ｔｇ）が経過してタイマＢの割り込みが発生する（ステップ１１５）と、定電流回路（ＣＡ）をオンし（ステップ１１６）、パルス点灯時間（ｔｗ）をタイマＢにセットする（ステップ１１７）。この時点が図２のＥ点である。
【００３０】
続いて、前記パルス点灯時間（ｔｗ）が経過してタイマＢの割り込みが発生する（ステップ１１８）と、定電流回路（ＣＡ）をオフし（ステップ１１９）、放電待機時間（ｔｆ）をタイマＢにセットし（ステップ１２０）、ＬＥＤの点灯工程を終了する。この時点が図２のＦ点である。
【００３１】
さらに、電圧が下降し半サイクル波のゼロクロス点に近づき、前記放電待機時間（ｔｆ）が経過してタイマＢの割り込みが発生する（ステップ１２１）と、通電開始可能電圧検知回路（ＤＴ）に接続されているコンデンサ（Ｃ１）が電荷を放電し（ステップ１２２）、放電時間（ｔｈ）をタイマＢにセットする（ステップ１２３）。この時点が図２のＧ点である。そして前記放電時間（ｔｈ）が経過して（ステップ１２４）、一連の制御を全て終了し、次の伝送線からの調光データの受信の準備に入る。
【００３２】
上記子機は便宜上１台について説明したが、他の９９台の子機にあっても、それぞれ親機のデータ転送回路（２）に前記１台の子機と同様に伝送線上で接続され、それぞれが固有のアドレスを有し、このアドレスに応じた調光データを各別に受信するもので、例えばサイン表示装置に適用した場合、発光色の異なるＬＥＤを組み合せて使用し、各子機における発光色及び発光の強度を調光データに盛り込み様々なＬＥＤ表示を行うことが可能となる。
【図面の簡単な説明】
【００３３】
【図１】本発明の一実施例に係るＬＥＤ駆動回路の回路図。
【図２】電圧とＬＥＤ駆動タイミングとの関係を示す整流した半サイクル波の拡大図。
【図３】ＬＥＤ駆動回路を制御するマイコンのブロック図。
【図４】ＬＥＤ駆動回路に調光データを供給する親機のブロック図。
【図５】ＬＥＤ駆動回路を制御するマイコンのフローチャート。
【図６】ＬＥＤ駆動回路を制御するマイコンのフローチャート。
【図７】ＬＥＤ駆動回路を制御するマイコンのフローチャート。
【図８】第１の従来例に係るＬＥＤ駆動回路の回路図。
【図９】第２の従来例に係るＬＥＤ駆動回路の回路図。
【符号の説明】
【００３４】
（１）    ＬＥＤ駆動回路
（２）    データ転送回路
（ＲＢ）    整流回路
（Ｌ１）    直列ＬＥＤ群
（ＤＴ）    通電開始可能電圧検知回路
（ＣＡ）    定電流回路
（ＭＰ１）    マイコン
（ＭＰ２）    マイコン
（ＲＸ）    データ受信回路
（ＰＨ１）    フォトカプラ
（ＰＨ２）    フォトカプラ
（Ｖｐ）    ピーク電圧
（Ｖｓ）    通電開始可能電圧
（Ｖｔ）    オフセット電圧
（Ｖｓ＋Ｖｔ）    定電流回路駆動電圧
（ｔｓ）    通電開始可能電圧検知時間
（ｔｄ）    点灯パルスオン時間
（ｔｄ−ｔｓ）    遅延時間
（ｔｇ）    点灯タイミング時間
（ｔｗ）    パルス点灯時間
【図１】
2008226532.tif 000005
【図２】
2008226532.tif 000006
【図３】
2008226532.tif 000007
【図４】
2008226532.tif 000008
【図５】
2008226532.tif 000009
【図６】
2008226532.tif 000010
【図７】
2008226532.tif 000011
【図８】
2008226532.tif 000012
【図９】
2008226532.tif 000013